(57)【要約】    【課題】  受信した画像データに応じたメッセージや画像などを受信側で受信した画像データに付加することができるファクシミリ装置を提供する。    【解決手段】  ファクシミリ受信した画像データに付加すべき画像データを、付加データを特定する情報に対応してコンパクトフラッシュ（登録商標）８内の画像データメモリ領域８ａに予め格納するとともに、合成するときの条件を合成データ登録テーブル８ｂに予め格納しておく。インターネットファクシミリ装置２０の主制御部１は、相手先のインターネットファクシミリ装置２０から、画像データと、それに合成すべき付加データを特定する情報とをファクシミリ受信し、受信した付加データを特定する情報に基づいて、合成データ登録テーブル８ｂを参照して、画像データメモリ領域８ａから付加データを特定する情報に対応する付加データを読み出して、受信した画像データに合成して印字出力する。【選択図】  図１
2005039610.tif 000002
【特許請求の範囲】
【請求項１】
画像データと、それに合成すべき付加データを特定する情報とを受信する受信手段と、上記付加データを特定する情報に対応する付加データを格納する記憶装置と、上記受信した付加データを特定する情報に基づいて、上記記憶装置から上記付加データを特定する情報に対応する付加データを読み出して、上記受信した画像データに合成して出力する制御手段とを備えたことを特徴とする通信端末装置。
【請求項２】
上記付加データを特定する情報は、合成書式を含むことを特徴とする請求項１記載の通信端末装置。
【請求項３】
上記合成書式は、付加データの付加位置、回転角度、大きさ、色、挿入ページのうちの少なくとも１つを含み、上記制御手段は、上記合成書式に基づいて、上記付加データを上記受信した画像データに合成することを特徴とする請求項２記載の通信端末装置。
【請求項４】
上記付加データを特定する情報は、１ページに複数の付加データを含むことを特徴とする請求項１記載の通信端末装置。
【発明の詳細な説明】
【技術分野】
【０００１】
本発明は、例えばネットワークなどの通信回線を介して画像データを送受信するファクシミリ装置などの通信端末装置に関する。
【背景技術】
【０００２】
従来技術のファクシミリ装置においては、送信側のファクシミリ装置において、送信すべき画像データに、いわゆるＴＴＩ（Transmitter Terminal Identification；発信元名称の識別データ）と呼ばれるヘッダ画像が重畳付加された後、相手先のファクシミリ装置に対して送信される。そして、受信側のファクシミリ装置では、受信した画像データをそのまま印字するように構成されている。
【０００３】
また、例えば、本来はファクシミリ通信で送信されるべき原稿の画像データを電子メールとして送信した場合には、電子メールのヘッダと本来の原稿の画像とが分離されて印字出力されるため、本文のみでは誰宛であるのかが不明になってしまうという問題点があった。この問題点を解決するために、「複数のユーザＩＤ及びユーザ名に関する情報を予め登録しておき、各ユーザＩＤで順次的にネットワークへログインして電子メールを受信し、受信した電子メールにそれの受信のためのログインに使用したユーザＩＤに対応するユーザ名に関する情報を付加して印字記録すること」が特許文献１において開示されている。
【０００４】
【特許文献１】特開平１１−０１７９２２号公報。
【発明の開示】
【発明が解決しようとする課題】
【０００５】
しかしながら、従来技術のファクシミリ装置では、受信した画像データに応じたメッセージや画像などを受信側で受信した画像データに付加することができなかった。
【０００６】
本発明の目的は以上の問題点を解決し、受信した画像データに応じたメッセージや画像などを受信側で受信した画像データに付加することができ、受信側で画像を出力し利用する場合により付加価値の高い画像を出力することができる通信端末装置を提供することにある。
【課題を解決するための手段】
【０００７】
本発明に係る通信端末装置は、画像データと、それに合成すべき付加データを特定する情報とを受信する受信手段と、上記付加データを特定する情報に対応する付加データを格納する記憶装置と、上記受信した付加データを特定する情報に基づいて、上記記憶装置から上記付加データを特定する情報に対応する付加データを読み出して、上記受信した画像データに合成して出力する制御手段とを備えたことを特徴とする。
【０００８】
上記通信端末装置において、上記付加データを特定する情報は、合成書式を含むことを特徴とする。ここで、上記合成書式は、付加データの付加位置、回転角度、大きさ、色、挿入ページのうちの少なくとも１つを含み、上記制御手段は、上記合成書式に基づいて、上記付加データを上記受信した画像データに合成することを特徴とする。
【０００９】
また、上記通信端末装置において、上記付加データを特定する情報は、１ページに複数の付加データを含むことを特徴とする。
【発明の効果】
【００１０】
以上詳述したように本発明に係る通信端末装置によれば、画像データと、それに合成すべき付加データを特定する情報とを受信する受信手段と、上記付加データを特定する情報に対応する付加データを格納する記憶装置と、上記受信した付加データを特定する情報に基づいて、上記記憶装置から上記付加データを特定する情報に対応する付加データを読み出して、上記受信した画像データに合成して出力する制御手段とを備える。従って、受信する画像データに応じて、所定の付加データを受信した画像データの画像に合成して出力することができる。これにより、従来、印字出力した受信画像にさらに合成した処理を省くことができ、受信側でのユーザ処理を省力化できる。
【発明を実施するための最良の形態】
【００１１】
以下、図面を参照して本発明に係る実施形態について説明する。
【００１２】
図１は、本発明に係る実施形態であるインターネットファクシミリ装置２０の構成を示すブロック図である。図１において、インターネットファクシミリ装置２０の構成について、説明の簡単化のため、送信側の装置構成と、受信側の装置構成とを備えているとして以下に説明する。また、複数のインターネットファクシミリ装置２０は、公衆電話網５０やインターネット４０などの通信回線を介して接続されて、互いに通信を実行する。
【００１３】
本実施形態に係る受信側のインターネットファクシミリ装置２０においては、ファクシミリ受信した画像データに付加すべき画像データを、付加データを特定する情報に対応してコンパクトフラッシュ（登録商標）８内の画像データメモリ領域８ａに予め格納するとともに、上記合成するときの条件を合成データ登録テーブル８ｂに予め格納しておき、当該インターネットファクシミリ装置２０の主制御部１は、相手先のインターネットファクシミリ装置２０から、画像データと、それに合成すべき付加データを特定する情報とをファクシミリ受信し、上記受信した付加データを特定する情報に基づいて、上記合成データ登録テーブル８ｂを参照して、画像データメモリ領域８ａから上記付加データを特定する情報に対応する付加データを読み出して、上記受信した画像データに合成して印字出力することを特徴としている。
【００１４】
図１において、インターネットファクシミリ装置２０は、従来のＧ３方式等のファクシミリ通信機能を備えるとともに、電子メールを利用して画像データを送信するインターネットファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１５】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該インターネットファクシミリ装置２０の動作に必要であって主制御部１によって実行される種々のソフトウェアのプログラムを予め格納する。これらのプログラムは、例えば、フロッピーディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。また、コンパクトフラッシュ（登録商標）８は、画像データを格納する画像データメモリ領域８ａと、合成データ登録テーブル８ｂとを含む。さらに、キャラクタ発生器９は、主制御部１からの文字指定コードに応答してキャラクタ（文字）の画像データを発生して出力する。
【００１７】
ここで、画像データメモリ領域８ａは、受信した画像データを格納するとともに、それに合成すべき付加データを予め格納する。例えば、図２（ａ）に示すような、リサイクルを意味する第１のマーク画像１０１（画像データのファイル名：image1.jpg）や、図２（ｂ）に示すような、星印である第２のマーク画像１０２（画像データのファイル名：image2.jpg）などを用いることができる。なお、これらの付加するマーク画像１０１，１０２の付加データを、例えば、そのファイル名に対応させて格納し、受信した画像データに合成するときに、ファイル名で指定されて格納された画像データを視覚可能な画像データ（ドットイメージデータ）に変換した後、上記受信した画像データに合成して出力することが好ましい。これにより、付加データを格納するための画像メモリ容量を軽減できる。なお、画像データは所定のフォントや色などでイメージ化することができる。
【００１８】
また、合成データ登録テーブル８ｂは、その一例を図３に示すように、合成条件毎に、合成の条件、合成データ及び合成書式が格納されている。すなわち、受信側のインターネットファクシミリ装置２０では、受信したファクシミリの条件、相手先のＴＳＩ、相手先からのサブアドレス（ＳＵＢ）、相手先の電子メールアドレス、受信した電子メールのＳｕｂｊｅｃｔ（又はそれ以外の電子メールの箇所（例えば、Ｆｒｏｍの欄、ＲＣＰＴ  ＴＯの欄など）、もしくはメール本文でもよい。）などに記載の条件に基づき、合成データの欄で指定された文字列の合成データ又は画像の合成データを用いて、合成書式の欄で指定された合成書式より、受信した画像データに対して画像の合成処理を実行する。ここで、合成書式においては、図３に示すように、付加データの付加位置、回転角度、大きさ、色、挿入ページなどの種々のパラメータを指定することができる。
【００１９】
ファックスモデム１０は、公衆電話回線Ｌを介して公衆電話網５０に接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２０】
インターフェース回路１２は、当該インターネットファクシミリ装置２０を、例えばイーサネット（登録商標）などのＬＡＮ３０等に接続するために、信号やデータの信号変換やプロトコル変換を行うＬＡＮインターフェース回路であり、ＬＡＮ３０にはメールサーバ装置３１とルータ装置３２が接続される。さらに、ルータ装置３２はインターネット４０を介して相手先のメールサーバ装置（図示せず。）に接続される。当該インターネットファクシミリ装置２０からＭＩＭＥ変換された画像データを例えば電子メール本文に挿入して、他のインターネットファクシミリ装置に対してメール送信するときは、インターフェース回路１２からＬＡＮ３０を介して一旦メールサーバ装置３１に送信した後、メールサーバ装置３１が当該インターネットメールを、ＬＡＮ３０、ルータ装置３２、インターネット４０、及び相手先のメールサーバ装置（図示せず。）を介して送信先のインターネットファクシミリ装置にメール送信する。一方、電子メールを受信するときは、上記の逆の経路で受信する。なお、インターネット４０への回線接続は、専用回線などに限らず、公衆電話回線Ｌを用いたダイヤルアップ接続でもよい。なお、画像データの送信方法は、電子メールのほか、ＦＴＰやＨＴＴＰなどのプロトコルを用いて送信してもよい。
【００２１】
以上のように構成された本実施形態のインターネットファクシミリ装置２０は、通常のＧ３方式及びインターネット等のファクシミリ通信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００２２】
以上のように構成された実施形態に係るインターネットファクシミリ装置２０においては、ファクシミリ受信したときに、コンパクトフラッシュ（登録商標）８内の合成データ登録テーブル８ｂ内の条件等に従って、すなわち、受信したファクシミリの条件、相手先のＴＳＩ、相手先からのサブアドレス（ＳＵＢ）、相手先の電子メールアドレス、受信した電子メールのＳｕｂｊｅｃｔなどの条件に基づき、合成データの欄で指定された文字列の合成データ又は画像の合成データを用いて、合成箇所の欄で指定された合成書式により、受信した画像データに対して画像の合成処理を実行し、画像記録部３を用いて印字出力する。当該合成処理の一例を、図３の合成データ登録テーブル８ｂを参照して以下に説明する。なお、文字列の画像データは、指定される文字コードに応答してキャラクタ発生器９を用いてその画像データを発生される。
【００２３】
図４は図１のインターネットファクシミリ装置２０によるファクシミリ受信における第１の合成例を示す図であって、図４（ａ）は第１の合成例の第１頁の画像Ｐ１１を示す正面図であり、図４（ｂ）は第１の合成例の第２頁の画像Ｐ１２を示す正面図である。図４の第１の合成例では、図３の合成データ登録テーブル８ｂの第１行目の合成条件等に従って、原稿画像データ上に、各頁の画像Ｐ１１，Ｐ１２において、「著作権保護データ  複製禁止」の文字列２０１が斜め４５度で重畳して合成されていることがわかる。
【００２４】
図５は図１のインターネットファクシミリ装置２０によるファクシミリ受信における第２の合成例の画像Ｐ２１を示す正面図である。図５の第２の合成例では、図３の合成データ登録テーブル８ｂの第２行目の合成条件等に従って、１枚の原稿画像データの画像Ｐ２１上であって、その上部に「社外秘  取り扱い注意」の文字列２０２が重畳して合成されていることがわかる。
【００２５】
図６は図１のインターネットファクシミリ装置２０によるファクシミリ受信における第３の合成例を示す図であって、図６（ａ）は第３の合成例の第１頁の画像Ｐ３１を示す正面図であり、図６（ｂ）は第３の合成例の第２頁の画像Ｐ３２を示す正面図である。図６の第３の合成例では、図３の合成データ登録テーブル８ｂの第３行目の合成条件等に従って、原稿画像データ上に、第１頁の画像Ｐ３１において、第１のマーク画像１０１がその右上部において重畳して合成されていることがわかる。
【００２６】
図７は図１のインターネットファクシミリ装置２０によるファクシミリ受信における第４の合成例を示す図であって、図７（ａ）は第４の合成例の第１頁の画像Ｐ４１を示す正面図であり、図７（ｂ）は第４の合成例の第２頁の画像Ｐ４２を示す正面図である。図７の第４の合成例では、図３の合成データ登録テーブル８ｂの第４行目の合成条件等に従って、原稿画像データ上に、各頁の画像Ｐ４１，Ｐ４２において、第２のマーク画像１０２がその右下部において合成されていることがわかる。
【００２７】
なお、付加データを合成する位置は、上述の合成例に示すように、ヘッダ、フッター、原稿画像データの任意の位置を選択することが可能である。また、付加すべきマーク画像は上記の２つの例１０１，１０２に限らず、任意の予め格納されたウォーターマークなどでもよい。
【００２８】
また、付加データを特定する情報は、例えば、電話回線を介して送信されてくるファクシミリ手順信号である例えばサブアドレス（ＳＵＢ）などから上記付加データを特定する情報を得ることができる。さらに、付加データを特定する情報は、インターネット４０を介して送信されてくる電子メールの通信手順信号である電子メールの任意の予め決められた箇所から上記付加データを特定する情報を得ることができる。またさらに、付加データを特定する情報は、インターネット４０を介して送信されてくる電子メールのメッセージ（メール本文）から上記付加データを特定する情報を得ることもできる。
【００２９】
以上説明したように、本実施形態によれば、主制御部１は、相手先のインターネットファクシミリ装置２０から、画像データと、それに合成すべき付加データを特定する情報とをファクシミリ受信し、上記受信した付加データを特定する情報に基づいて、上記合成データ登録テーブル８ｂを参照して、画像データメモリ領域８ａから上記付加データを特定する情報に対応する付加データを読み出して、上記受信した画像データに合成して印字出力する。従って、受信する画像データに応じて、所定の付加データを受信した画像データの画像に合成して出力することができる。これにより、従来、印字出力した受信画像にさらに合成した処理を省くことができ、受信側でのユーザ処理を省力化できる。
【００３０】
以上の実施形態において、文字列はフォントや色を指定することができ、カラーの合成画像データを付加データとすることもできる。
【００３１】
以上の実施形態においては、インターネットファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【図面の簡単な説明】
【００３２】
【図１】本発明に係る実施形態であるインターネットファクシミリ装置２０の構成を示すブロック図である。
【図２】（ａ）は本実施形態において用いる第１のマーク画像の正面図であり、（ｂ）は本実施形態において用いる第２のマーク画像の正面図である。
【図３】図１のコンパクトフラッシュ（登録商標）８内の合成データ登録テーブル８ｂの一例を示す図である。
【図４】図１のインターネットファクシミリ装置によるファクシミリ受信における第１の合成例を示す図であって、（ａ）は第１の合成例の第１頁の画像Ｐ１１を示す正面図であり、（ｂ）は第１の合成例の第２頁の画像Ｐ１２を示す正面図である。
【図５】図１のインターネットファクシミリ装置２０によるファクシミリ受信における第２の合成例の画像Ｐ２１を示す正面図である。
【図６】図１のインターネットファクシミリ装置２０によるファクシミリ受信における第３の合成例を示す図であって、（ａ）は第３の合成例の第１頁の画像Ｐ３１を示す正面図であり、（ｂ）は第３の合成例の第２頁の画像Ｐ３２を示す正面図である。
【図７】図１のインターネットファクシミリ装置２０によるファクシミリ受信における第４の合成例を示す図であって、（ａ）は第４の合成例の第１頁の画像Ｐ４１を示す正面図であり、（ｂ）は第４の合成例の第２頁の画像Ｐ４２を示す正面図である。
【符号の説明】
【００３３】
１…主制御部、
２…画像読取部、
３…画像記録部、
４…表示部、
５…操作部、
６…ＲＯＭ、
７…ＳＲＡＭ、
８…コンパクトフラッシュ（登録商標）、
８ａ…画像データメモリ領域、
８ｂ…合成データ登録テーブル、
１０…ファックスモデム、
１１…ＮＣＵ、
１２…インターフェース回路、
１３…バス、
２０…インターネットファクシミリ装置、
３０…ＬＡＮ、
３１…メールサーバ装置、
３２…ルータ装置、
４０…インターネット、
５０…公衆電話網、
Ｌ…公衆電話回線。
【図１】
2005039610.tif 000003
【図２】
2005039610.tif 000004
【図３】
2005039610.tif 000005
【図４】
2005039610.tif 000006
【図５】
2005039610.tif 000007
【図６】
2005039610.tif 000008
【図７】
2005039610.tif 000009